(57)【要約】【課題】監視すべきシステムに対して、複雑な操作、技術も必要とせず、いつから警報が発生したのか、警報状態（異常情報）の種類、経過時間を簡単に確認することができ、コストも低減でき、しかも、コンパクトな警報表示装置を提供する。【解決手段】監視すべきシステムに設けたセンサーからのセンサー情報に異常が生じた場合に、警報表示するための警報表示装置１０であって、警報表示装置１０に内蔵された内部タイマーと、表示と設定を行う画面を表示する画面表示部１２とを備え、センサーからのセンサー情報に異常が生じた場合に、異常情報を画面表示部１２に表示するように構成されているとともに、内部タイマーによって、センサーからのセンサー情報に異常が生じた時からの現在までの経過時間を計測して、経過時間を画面表示部１２に表示するように構成されている。【選択図】図１
2015183978.tif 000002
【特許請求の範囲】
【請求項１】
監視すべきシステムに設けたセンサーからのセンサー情報に異常が生じた場合に、警報表示するための警報表示装置であって、
前記警報表示装置に内蔵された内部タイマーと、
表示と設定を行う画面を表示する画面表示部とを備え、
前記センサーからのセンサー情報に異常が生じた場合に、異常情報を画面表示部に表示するように構成されているとともに、
前記内部タイマーによって、前記センサーからのセンサー情報に異常が生じた時からの現在までの経過時間を計測して、前記経過時間を画面表示部に表示するように構成されていることを特徴とする警報表示装置。
【請求項２】
前記センサーからのセンサー情報に異常が生じた時から、異常状態が所定時間継続している状態が検知された際に異常が生じたと判断して、
前記異常情報を画面表示部に表示するように構成されているとともに、
前記内部タイマーによって、前記異常が生じたと判断した時からの現在までの経過時間を計測して、経過時間を画面表示部に表示するように構成されていることを特徴とする請求項１に記載の警報表示装置。
【請求項３】
前記画面表示部に表示された異常情報と経過時間をリセットするためのリセット手段を備えることを特徴とする請求項１から２のいずれかに記載の警報表示装置。
【請求項４】
前記センサーからのセンサー情報に異常が生じた回数を計測し、前記画面表示部に表示するように構成されていることを特徴とする請求項１から３のいずれかに記載の警報表示装置。
【請求項５】
前記センサーからのセンサー情報に異常が生じた回数と異常情報の種別を、前記画面表示部に表示するように構成されていることを特徴とする請求項１から４のいずれかに記載の警報表示装置。
【請求項６】
前記センサーからのセンサー情報に応じて、前記監視すべきシステムに対して、制御信号を送信するリレー制御手段を備えることを特徴とする請求項１から５のいずれかに記載の警報表示装置。
【請求項７】
前記画面表示部が、液晶表示装置から構成されていることを特徴とする請求項１から６のいずれかに記載の警報表示装置。
【請求項８】
前記画面表示部が、表示と設定を行う画面を表示するタッチパネル式表示装置から構成されていることを特徴とする請求項７に記載の警報表示装置。
【請求項９】
前記センサー情報が、温度、湿度、圧力、流量から選択された少なくとも一つのセンサー情報であることを特徴とする請求項１から８のいずれかに記載の警報表示装置。
【請求項１０】
前記警報表示装置が、空気調和機に用いられるものであることを特徴とする請求項１から９のいずれかに記載の警報表示装置。
【発明の詳細な説明】
【技術分野】
【０００１】
本発明は、監視すべきシステムに設けたセンサーからのセンサー情報に異常が生じた場合に、警報表示するための警報表示装置に関する。
【０００２】
より詳細には、監視すべきシステム、例えば、エアコン、冷凍庫、冷蔵庫、園芸用のビニールハウス、ショーケースなどの空気調和機（以下、単に「空気調和機」と言う）、その他の機械装置、プラントなどに設けたセンサーからのセンサー情報に異常が生じた場合に、警報表示するための警報表示装置に関する。
【背景技術】
【０００３】
従来、この種の監視すべきシステム、例えば、空気調和機において、警報機能付きの空気調和機では、センサーからのセンサー情報に異常が生じた場合に、警報出力端子に接続したランプやブザーなどで、利用者に警報を伝える通知手段 、または、警報出力端子から委託設備業者などへ自動通報されるなどの通報手段が採用されている。
【０００４】
一方、センサーからのセンサー情報に異常が生じた場合に、異常検知した結果を通報する手段を持たない設備（システム）では、利用者自身が警報（ランプ、ブザ―など）に気づくことで、警報状態を確認することはできるように構成されている。
【０００５】
図１２は、従来の空気調和機のデジタルサーモスタットからなる警報表示装置の正面図を示している。
【０００６】
図１２に示したように、従来の警報表示装置１００は、図示しないが、監視すべきシステムに設けたセンサーと接続されており、警報表示装置１００には、表示と設定を行う画面を表示する画面表示部１０２を備えている。
【０００７】
画面表示部１０２は、７セグメントＬＥＤから構成されており、現在の温度（図１２では、例えば、１２．５℃）が表示されている。また、図１２では、冷房運転において、温度が所定の設定温度よりも高くなっており、画面表示部１０２の下方に設けられた警報出力ランプ１０４が点灯した状態となっている。
【０００８】
また、画面表示部１０２の下方には、この警報出力ランプ１０４以外にも、冷房状態を表示するための冷房表示ランプ１０６と、暖房状態を表示するための暖房表示ランプ１０８と、監視すべきシステムである空気調和機に対して、制御信号を送信するリレー制御出力ランプ１１０とが設けられている。
【０００９】
さらに、画面表示部１０２の下方には、各種の設定条件を設定操作するための設定操作部１１２が設けられている。この設定操作部１１２は、図１２に示したように、左側に上から順に、冷暖房切り替え表示部１１４、入切設定表示部１１６、高温警報設定表示部１１８、低温警報設定表示部１２０が形成されている。
【００１０】
なお、冷暖房切り替え表示部１１４には、切り替えランプ１１４ａが設けられ、入切設定表示部１１６には、切表示ランプ１１６ａと、入表示ランプ１１６ｂとが設けられている。また、高温警報設定表示部１１８には、温度ランプ１１８ａと、遅延時間ランプ１１８ｂが設けられている。同様に、低温警報設定表示部１２０には、温度ランプ１２０ａと、遅延時間ランプ１２０ｂが設けられている。
【００１１】
また、設定操作部１１２は、図１２に示したように、右側に上から順に、選択ボタン１２２、上移動ボタン（△）１２４、下移動ボタン（▽）１２６、決定（警報解除）ボタン１２８が設けられている。
【００１２】
このように構成される従来の警報表示装置１００では、選択ボタン１２２、上移動ボタン１２４、下移動ボタン１２６を押すことによって、冷暖房切り替え表示部１１４の冷暖房を設定し、入切設定表示部１１６の入切を設定するようになっている。また、高温警報設定表示部１１８において、温度と遅延時間を設定するとともに、低温警報設定表示部１２０において、温度と遅延時間を設定するように構成されており、これらの全ての条件が設定された後に、決定（警報解除）ボタン１２８を押すことによって設定が完了するようになっている。
【００１３】
そして、この従来の警報表示装置１００では、図１２に示したように、例えば、高温警報設定表示部１１８において設定した、温度と遅延時間を超えた際に（図１２では、例えば、１２．５℃）、画面表示部１０２の下方に設けられた警報出力ランプ１０４が点滅（点灯）した状態となるように構成されている。
【先行技術文献】
【特許文献】
【００１４】
【特許文献１】特開平６−２２１７３２号公報
【発明の概要】
【発明が解決しようとする課題】
【００１５】
しかしながら、警報状態であることは確認できるが、いつから警報が発生したのか、警報状態（異常情報）の種類、経過時間を確認することができず、空気調和機の空気調和対象である、例えば、冷凍庫、冷蔵庫、ショーケース内に収納した品物などへの影響を把握することができず、適切な対応処置を取ることができなかった。
【００１６】
また、利用者から呼ばれた設備業者にあっても、警報発生が作業開始からどの位前であったのかを把握できず、適切な対応処置を取ることができなかった。
【００１７】
このため、特許文献１（特開平６−２２１７３２号公報）には、温度監視警報装置において、警報経過時間を出力表示装置（パネル）の切換えにより表示する技術が開示されている。
【００１８】
しかしながら、特許文献１の温度監視警報装置では、出力表示装置を、使用者のスイッチ操作により、通常、警報、モード調整の３つのモード間を手動で切り換えて、警報経過時間、現在の温度を表示しなければならない。
【００１９】
このため、出力表示装置（パネル）には、多数の切り替えボタンなどがあり、操作が複雑であって、技術スタッフ（設備業者など）の対応が必要であって、例えば、店員などの技術に熟達していない者が表示し、その内容を知ることは困難であった。
【００２０】
さらに、特許文献１の温度監視警報装置では、経過時間の計測には、内部時計を利用して、警報発生の日付と時刻をＣＰＵに入力して出力表示装置に表示するように構成されている。
【００２１】
しかしながら、このように、特許文献１の温度監視警報装置では、警報時間記録機能を持たせるには時計表示機能が必要であり、コスト高になり、警報装置が大型化することにもなる。
【００２２】
本発明は、このような現状に鑑み、監視すべきシステムに対して、複雑な操作、技術も必要とせず、いつから警報が発生したのか、警報状態（異常情報）の種類、経過時間を簡単に確認することができ、コストも低減でき、しかも、コンパクトな警報表示装置を提供することを目的とする。
【００２３】
また、本発明は、監視すべきシステムである空気調和機の空気調和対象である、例えば、冷凍庫、冷蔵庫、ショーケース内に収納した品物などへの影響を把握することができ、適切な対応処置を取ることができる空気調和機の警報表示装置を提供することを目的とする。
【課題を解決するための手段】
【００２４】
本発明は、前述したような従来技術における課題及び目的を達成するために発明されたものであって、本発明の警報表示装置は、
監視すべきシステムに設けたセンサーからのセンサー情報に異常が生じた場合に、警報表示するための警報表示装置であって、
前記警報表示装置に内蔵された内部タイマーと、
表示と設定を行う画面を表示する画面表示部とを備え、
前記センサーからのセンサー情報に異常が生じた場合に、異常情報を画面表示部に表示するように構成されているとともに、
前記内部タイマーによって、前記センサーからのセンサー情報に異常が生じた時からの現在までの経過時間を計測して、前記経過時間を画面表示部に表示するように構成されていることを特徴とする。
【００２５】
このように構成することによって、監視すべきシステムに設けたセンサーからのセンサー情報に異常が生じた場合に、異常情報を画面表示部に表示するので、例えば、高温状態、低温状態などの警報状態（異常情報）の種類を簡単に把握することができる。
【００２６】
また、警報表示装置に内蔵された内部タイマー（カウンター）によって、センサーからのセンサー情報に異常が生じた時からの現在までの経過時間を計測して、経過時間を画面表示部に表示するので、いつから警報が発生したのか、経過時間を簡単に確認することができる。
【００２７】
従って、監視すべきシステムに対して、複雑な操作、技術も必要とせず、いつから警報が発生したのか、警報状態（異常情報）の種類、経過時間を簡単に確認することができる。
【００２８】
これにより、誰でも即座に異常の原因と警報経過時間を確認できるので適切な対応ができるとともに、技術スタッフ（設備業者など）の対応が不要であって、例えば、店員などの技術に熟達していない者が、警報状態（異常情報）の種類、経過時間を知ることができ、技術スタッフへの問い合わせが減るのでメンテナンス業務が楽になる。
【００２９】
しかも、従来のように、内部時計を利用して警報発生の日付と時刻と現在の時間から警報経過時間を演算処理していないので、時計表示機能が不要で、コストも低減でき、しかも、コンパクトな警報表示装置を提供することができる。
さらに、時計表示機能が不要であるので、時刻の初期設定の操作が不要で手間がかからなくなる。
【００３０】
また、本発明の警報表示装置は、
前記センサーからのセンサー情報に異常が生じた時から、異常状態が所定時間継続している状態が検知された際に異常が生じたと判断して、
前記異常情報を画面表示部に表示するように構成されているとともに、
前記内部タイマーによって、前記異常が生じたと判断した時からの現在までの経過時間を計測して、経過時間を画面表示部に表示するように構成されていることを特徴とする。
【００３１】
このように構成することによって、センサーからのセンサー情報に異常が生じた時から、異常状態が所定時間継続している状態が検知された際に異常が生じたと判断するので、すなわち、遅延時間を設けているので、誤って警告表示がなされる誤動作を回避することができる。
【００３２】
また、本発明の警報表示装置は、前記画面表示部に表示された異常情報と経過時間をリセットするためのリセット手段を備えることを特徴とする。
【００３３】
このように構成することにより、リセット手段によって、画面表示部に表示された異常情報と経過時間をリセットすることで警報を簡単に解除することができる。
【００３４】
また、本発明の警報表示装置は、前記センサーからのセンサー情報に異常が生じた回数を計測し、前記画面表示部に表示するように構成されていることを特徴とする。
【００３５】
このように構成することによって、センサーからのセンサー情報に異常が生じた回数を計測し、画面表示部に表示するので、例えば、監視すべきシステムの故障修理、メンテナンス、交換などを適切に行うことができる。
【００３６】
また、本発明の警報表示装置は、前記センサーからのセンサー情報に異常が生じた回数と異常情報の種別を、前記画面表示部に表示するように構成されていることを特徴とする。
【００３７】
このように構成することによって、センサーからのセンサー情報に異常が生じた回数と異常情報の種別を、画面表示部に表示するので、異常情報の種別、回数に応じて、例えば、監視すべきシステムの故障修理、メンテナンス、交換などを適切に行うことができる。
【００３８】
また、本発明の警報表示装置は、前記センサーからのセンサー情報に応じて、前記監視すべきシステムに対して、制御信号を送信するリレー制御手段を備えることを特徴とする。
【００３９】
このように構成することによって、リレー制御手段によって、センサーからのセンサー情報にセンサーからのセンサー情報に応じて、監視すべきシステムに対して、制御信号（例えば、入切信号）を送信するので、監視すべきシステムを制御することができる。
【００４０】
また、本発明の警報表示装置は、前記画面表示部が、液晶表示装置から構成されていることを特徴とする。
【００４１】
このように構成することによって、従来の７セグメントＬＥＤから構成される画面表示部に比較して、画面表示部が、液晶表示装置から構成されているので、警報表示の視認性、操作性が向上する。
【００４２】
また、本発明の警報表示装置は、前記画面表示部が、表示と設定を行う画面を表示するタッチパネル式表示装置から構成されていることを特徴とする。
【００４３】
このように構成することによって、タッチパネル式表示装置によって、表示と設定を行う際の操作性が向上する。
【００４４】
また、本発明の警報表示装置は、前記センサー情報が、温度、湿度、圧力、流量から選択された少なくとも一つのセンサー情報であることを特徴とする。
【００４５】
このように、本発明の警報表示装置によれば、温度、湿度、圧力、流量から選択された少なくとも一つのセンサー情報に基づいて、警報状態（異常情報）の種類、経過時間を簡単に確認することができる。
【００４６】
また、本発明の警報表示装置は、前記警報表示装置が、空気調和機に用いられるものであることを特徴とする。
【００４７】
このように、本発明の警報表示装置によれば、例えば、エアコン、冷凍庫、冷蔵庫、園芸用のビニールハウス、ショーケースなどの空気調和機に設けたセンサーからのセンサー情報に異常が生じた場合に、警報状態（異常情報）の種類、経過時間を簡単に確認することができる。
【発明の効果】
【００４８】
本発明によれば、監視すべきシステムに設けたセンサーからのセンサー情報に異常が生じた場合に、異常情報を画面表示部に表示するので、例えば、高温状態、低温状態などの警報状態（異常情報）の種類を簡単に把握することができる。
【００４９】
また、警報表示装置に内蔵された内部タイマー（カウンター）によって、センサーからのセンサー情報に異常が生じた時からの現在までの経過時間を計測して、経過時間を画面表示部に表示するので、いつから警報が発生したのか、経過時間を簡単に確認することができる。
【００５０】
従って、監視すべきシステムに対して、複雑な操作、技術も必要とせず、いつから警報が発生したのか、警報状態（異常情報）の種類、経過時間を簡単に確認することができる。
【００５１】
これにより、誰でも即座に異常の原因と警報経過時間を確認できるので適切な対応ができるとともに、技術スタッフ（設備業者など）の対応が不要であって、例えば、店員などの技術に熟達していない者が、警報状態（異常情報）の種類、経過時間を知ることができ、技術スタッフへの問い合わせが減るのでメンテナンス業務が楽になる。
【００５２】
しかも、従来のように、内部時計を利用して警報発生の日付と時刻と現在の時間から警報経過時間を演算処理していないので、時計表示機能が不要で、コストも低減でき、しかも、コンパクトな警報表示装置を提供することができる。
さらに、時計表示機能が不要であるので、時刻の初期設定の操作が不要で手間がかからなくなる。
【図面の簡単な説明】
【００５３】
【図１】図１は、本発明の警報表示装置の実施例の正面図であり、監視すべきシステムとして、空気調和機のデジタルサーモスタットからなる警報表示装置の正面図である。
【図２】図２は、低温警報状態を表示している状態を示す画面表示部１２の拡大図である。
【図３】図３は、高温警報状態を表示している状態を示す画面表示部１２の拡大図である。
【図４】図４は、本発明の警報表示装置１０の作動を示すフローチャートである。
【図５】図５は、本発明の警報表示装置１０の表示動作を説明するグラフである。
【図６】図６は、本発明の警報表示装置１０のリレー制御手段の作動を、図１〜図５の実施例の警報表示装置１０について説明するフローチャートである。
【図７】図７は、本発明の警報表示装置１０のリレー制御手段の作動を、図１〜図５の実施例の警報表示装置１０について、冷房設定時の表示動作を説明するグラフである。
【図８】図８は、本発明の警報表示装置の別の実施例の図１と同様な正面図であり、高温警報状態を表示している状態を示す本発明の警報表示装置の正面図である。
【図９】図９は、本発明の警報表示装置の別の実施例の図１と同様な正面図であり、監視すべきシステムとして、空気調和機のデジタルヒューミディスタット（デジタル湿度調節器）からなる警報表示装置の正面図である。
【図１０】図１０は、本発明の警報表示装置１０のリレー制御手段の作動を、図９の実施例の警報表示装置１０について説明するフローチャートである。
【図１１】図１１は、本発明の警報表示装置１０のリレー制御手段の作動を、図９の実施例の警報表示装置１０について、加湿設定時の表示動作を説明するグラフである。
【図１２】図１２は、従来の空気調和機のデジタルサーモスタットからなる警報表示装置の正面図である。
【発明を実施するための形態】
【００５４】
以下、本発明の実施の形態（実施例）を図面に基づいてより詳細に説明する。
（実施例１）
【００５５】
図１は、本発明の警報表示装置の実施例の正面図であり、監視すべきシステムとして、空気調和機のデジタルサーモスタットからなる警報表示装置の正面図を示している。
【００５６】
図１に示したように、本発明の警報表示装置１０は、図示しないが、監視すべきシステムに設けたセンサーと接続されており、警報表示装置１０には、表示と設定を行う画面を表示する画面表示部１２を備えている。
【００５７】
画面表示部１２は、液晶表示装置から構成されており、その温度表示部１２ａに、現在の温度が表示されるように構成されている。さらに、図１に示したように、画面表示部１２の下方には、警報出力ランプ１４が設けられ、図示しない監視すべきシステム、例えば、空気調和機に設けたセンサーからのセンサー情報に異常が生じた場合に、点灯した状態となるように構成されている。
【００５８】
また、画面表示部１２の下方には、この警報出力ランプ１４以外にも、監視すべきシステムである空気調和機に対して、制御信号を送信するリレー制御出力ランプ２０が設けられている。
【００５９】
さらに、画面表示部１２には、その下方部分に、設定表示部１２ｂが設けられており、画面表示部１２の下方に表示されているように、左側から順に、冷暖房切り替え表示部２４、入切設定表示部２６、高温警報設定表示部２８、低温警報設定表示部３０が形成されている。
【００６０】
すなわち、図１に示したように、画面表示部１２の設定表示部１２ｂには、液晶のバー表示が、点灯することによって、左側から順に、冷房状態を表示するための「冷」、暖房状態を表示するための「暖」からなる冷暖房切り替え表示部２４、「切」、「入」からなる入切設定表示部２６、「温度」、「遅延」からなる高温警報設定表示部２８、「温度」、「遅延」からなる低温警報設定表示部３０が、選択的に表示されるように構成されている。
【００６１】
また、図１に示したように、画面表示部１２には、その上部の中央部分に、警報経過時間表示部１２ｃが形成されている。この警報経過時間表示部１２ｃは、センサーからのセンサー情報に異常が生じた時からの現在までの経過時間を計測して、経過時間を画面表示部１２の警報経過時間表示部１２ｃに表示（点滅）するように構成されている。
【００６２】
さらに、画面表示部１２の下方には、各種の設定条件を設定操作するための設定操作部２２が設けられている。この設定操作部２２には、図１に示したように、選択ボタン３２、上移動ボタン（△）３４、下移動ボタン（▽）３６、決定（警報解除）ボタン３８が設けられている。
【００６３】
なお、図１に示した警報表示装置１０の表示状態では、画面表示部１２の設定表示部１２ｂにおいて、液晶のバー表示が「冷」の箇所に表示されており、冷房状態であることが表示されている。
【００６４】
そして、画面表示部１２の温度表示部１２ａに、現在の温度（図１では、例えば、１２．５℃）が表示されている。また、図１では、冷房運転において、温度が所定の設定温度よりも高くなっており、画面表示部１２の下方に設けられた警報出力ランプ１４が点灯した状態となっている。
【００６５】
さらに、図１に示した警報表示装置１０の表示状態では、冷房運転において、温度が所定の設定温度よりも高くなっており、画面表示部１２の設定表示部１２ｂの高温警報設定表示部２８において、「温度」、「遅延」の箇所に、液晶のバー表示が表示され、点滅状態で警告表示がなされている。
【００６６】
また、図１に示した警報表示装置１０の表示状態では、警報経過時間表示部１２ｃに、センサーからのセンサー情報に異常が生じた時からの現在までの経過時間を計測して、経過時間を画面表示部１２の警報経過時間表示部１２ｃに点滅状態で表示（図１では、警報経過時間が、１時間３８分を示す「１：３８」の表示）されている。
【００６７】
このように構成される本発明の警報表示装置１０の表示状態の例について、図２〜図３に基づいてより詳細に説明する。
【００６８】
図２は、低温警報状態を表示している状態を示す画面表示部１２の拡大図である。
【００６９】
図２に示した警報表示装置１０の表示状態では、画面表示部１２の設定表示部１２ｂにおいて、液晶のバー表示が「冷」の箇所に表示されており、冷房状態であることが表示されている。
【００７０】
そして、画面表示部１２の温度表示部１２ａに、現在の温度（図２では、例えば、２．０℃）が表示されている。また、図２では、図示しないが、図１に示したように、冷房運転において、温度が所定の設定温度よりも低くなっており、図示しないが、画面表示部１２の下方に設けられた警報出力ランプ１４が点灯した状態となっている。
【００７１】
さらに、図２に示した警報表示装置１０の表示状態では、冷房運転において、温度が所定の設定温度よりも低くなっており、画面表示部１２の設定表示部１２ｂの低温警報設定表示部３０において、「温度」、「遅延」の箇所に、液晶のバー表示が表示され、点滅状態で警告表示がなされている。
【００７２】
また、図２に示した警報表示装置１０の表示状態では、警報経過時間表示部１２ｃに、センサーからのセンサー情報に異常が生じた時からの現在までの経過時間を計測して、経過時間を画面表示部１２の警報経過時間表示部１２ｃに点滅状態で表示（図２では、警報経過時間が、１６時間３８分を示す「１６：３８」の表示）されている。
【００７３】
一方、図３は、高温警報状態を表示している状態を示す画面表示部１２の拡大図である。
【００７４】
図３に示した警報表示装置１０の表示状態では、画面表示部１２の設定表示部１２ｂにおいて、液晶のバー表示が「冷」の箇所に表示されており、冷房状態であることが表示されている。
【００７５】
そして、画面表示部１２の温度表示部１２ａに、現在の温度（図３では、例えば、１５．０℃）が表示されている。また、図３では、図示しないが、図１に示したように、冷房運転において、温度が所定の設定温度よりも高くなっており、図示しないが、画面表示部１２の下方に設けられた警報出力ランプ１４が点灯した状態となっている。
【００７６】
さらに、図３に示した警報表示装置１０の表示状態では、冷房運転において、温度が所定の設定温度よりも高くなっており、画面表示部１２の設定表示部１２ｂの高温警報設定表示部２８において、「温度」、「遅延」の箇所に、液晶のバー表示が表示され、点滅状態で警告表示がなされている。
【００７７】
また、図３に示した警報表示装置１０の表示状態では、警報経過時間表示部１２ｃに、センサーからのセンサー情報に異常が生じた時からの現在までの経過時間を計測して、経過時間を画面表示部１２の警報経過時間表示部１２ｃに点滅状態で表示（図３では、警報経過時間が、２４時間００分以上を示す「２４：００」の表示）されている。
【００７８】
なお、この実施例では、画面表示部１２の警報経過時間表示部１２ｃの経過時間が、２４時間００分以上表示されないように設定されているが、これの設定時間は、監視すべきシステムに応じて適宜変更可能である。また、画面表示部１２の警報経過時間表示部１２ｃの経過時間を設定時間以上表示するようにすることももちろん可能である。
【００７９】
このように構成される本発明の警報表示装置１０の作動について、以下に、詳細に説明する。
【００８０】
図４は、本発明の警報表示装置１０の作動を示すフローチャート、図５は、本発明の警報表示装置１０の表示動作を説明するグラフである。
【００８１】
先ず、図４に示したように、ステップＳ１において、システムが起動される。
【００８２】
そして、ステップＳ２において、図示しない監視すべきシステムに設けたセンサーからのセンサー情報において、
（１）温度計測値Ｓが、予め設定された高温警報値Ｔ１より大きいか否か（温度計測値Ｓ≧高温警報値Ｔ１）
（２）温度計測値Ｓが、予め設定された低温警報値Ｔ２より小さいか否か（温度計測値Ｓ≦低温警報値Ｔ２）
か否かが判断される（図５参照）。
【００８３】
このステップＳ２において、上記（１）か（２）のいずれかを満足すると判断された場合には、ステップＳ３に進み、図示しない、警報表示装置１０に内蔵された内部タイマーにおいて、警報遅延時間タイマーがカウントアップされる（図５において、ｔ１の時点参照）。
【００８４】
そして、ステップＳ４において、予め定められた遅延時間（図５においては、４０分）が経過したか否かが判断される。
【００８５】
なお、この場合、遅延時間については、図５においては、０〜１２０分の間の所定の時間に定めるように構成されているが、この遅延時間については、監視すべきシステムに応じて適宜変更可能である。また、遅延時間を設けないようにすることも可能である。
【００８６】
次に、ステップＳ４において、予め定められた遅延時間が経過したと判断された場合には、ステップＳ５に進み、ステップＳ５において、警報が発生され、警報出力がＯＮの状態となる（図５において、ｔ２の時点参照）
【００８７】
すなわち、図１に示したように、画面表示部１２の下方に設けられた警報出力ランプ１４が点灯した状態となる。
【００８８】
また、この場合、前述したように、図２に示した警報表示装置１０の表示状態のように、冷房運転において、温度が所定の設定温度よりも低くなった場合（上記（２）の温度計測値Ｓ≦低温警報値Ｔ２の場合）には、画面表示部１２の設定表示部１２ｂの低温警報設定表示部３０において、「温度」、「遅延」の箇所に、液晶のバー表示が表示され、点滅状態で警告表示がなされる。
【００８９】
一方、前述したように、図３に示した警報表示装置１０の表示状態のように、冷房運転において、温度が所定の設定温度よりも高くなった場合（上記（１）の温度計測値Ｓ≧高温警報値Ｔ１の場合）には、画面表示部１２の設定表示部１２ｂの高温警報設定表示部２８において、「温度」、「遅延」の箇所に、液晶のバー表示が表示され、点滅状態で警告表示がなされる。
【００９０】
そして、このようにステップＳ５において、警報が発生され、警報出力がＯＮの状態となった後、ステップＳ６に進み、図示しない警報表示装置１０に内蔵された内部タイマーにおいて、未確認時間タイマーがカウントアップされる（図５において、ｔ２の時点参照）。
【００９１】
そして、この状態で、図１〜図３に示したように、画面表示部１２の警報経過時間表示部１２ｃに、センサーからのセンサー情報に異常が生じた時からの現在までの経過時間を計測して、経過時間（図５において、ｔ２の時点から現在までの経過時間）が、画面表示部１２の警報経過時間表示部１２ｃに点滅状態で刻々と表示される。
【００９２】
一方、ステップＳ４において、予め定められた遅延時間が経過していないと判断された場合には、再びステップＳ２に戻るようになっている。
【００９３】
そして、ステップＳ６において、未確認時間タイマーがカウントアップされた後、ステップＳ７に進み、警報解除のボタンとしても機能する決定（警報解除）ボタン３８が押され、警報が解除されたか否かが判断される。
【００９４】
ステップＳ７において、決定（警報解除）ボタン３８が押され、警報が解除されたと判断された場合には（図５において、ｔ３の時点参照）、ステップＳ８に進み、警報が解除され、警報出力がＯＦＦの状態となる。
【００９５】
すなわち、図１において、画面表示部１２の下方に設けられた警報出力ランプ１４が消灯した状態となる。
【００９６】
また、図示しない警報表示装置１０に内蔵された内部タイマーにおいて、未確認時間タイマーがカウントクリアされるとともに、警報遅延時間タイマーがカウントクリアされる。
【００９７】
そして、再びステップＳ２に戻るようになっている。
【００９８】
一方、ステップＳ７において、決定（警報解除）ボタン３８が押されず、警報が解除されていないと判断された場合には、再びステップＳ６に戻り、未確認時間タイマーがカウントアップされ、再びステップＳ７において、警報解除のボタンとしても機能する決定（警報解除）ボタン３８が押され、警報が解除されたか否かが判断される。
【００９９】
また、ステップＳ２において、上記（１）か（２）のいずれも満足しないと判断された場合には、ステップＳ８に進み、警報が発せられず、警報出力がＯＦＦの状態となる。
【０１００】
このように構成される本発明の警報表示装置１０によれば、監視すべきシステムに設けたセンサーからのセンサー情報に異常が生じた場合に、異常情報を画面表示部１２（画面表示部１２の設定表示部１２ｂの高温警報設定表示部２８、低温警報設定表示部３０）に表示するので、例えば、高温状態、低温状態などの警報状態（異常情報）の種類を簡単に把握することができる。
【０１０１】
また、警報表示装置１０に内蔵された内部タイマー（カウンター）によって、センサーからのセンサー情報に異常が生じた時からの現在までの経過時間を計測して、経過時間を画面表示部１２（画面表示部１２の警報経過時間表示部１２ｃ）に表示するので、いつから警報が発生したのか、経過時間を簡単に確認することができる。
【０１０２】
従って、監視すべきシステムに対して、複雑な操作、技術も必要とせず、いつから警報が発生したのか、警報状態（異常情報）の種類、経過時間を簡単に確認することができる。
【０１０３】
これにより、誰でも即座に異常の原因と警報経過時間を確認できるので適切な対応ができるとともに、技術スタッフ（設備業者など）の対応が不要であって、例えば、店員などの技術に熟達していない者が、警報状態（異常情報）の種類、経過時間を知ることができ、技術スタッフへの問い合わせが減るのでメンテナンス業務が楽になる。
【０１０４】
しかも、従来のように、内部時計を利用して警報発生の日付と時刻と現在の時間から警報経過時間を演算処理していないので、時計表示機能が不要で、コストも低減でき、しかも、コンパクトな警報表示装置を提供することができる。
さらに、時計表示機能が不要であるので、時刻の初期設定の操作が不要で手間がかからなくなる。
【０１０５】
さらに、センサーからのセンサー情報に異常が生じた時から、異常状態が所定時間継続している状態が検知された際に異常が生じたと判断するので、すなわち、遅延時間を設けているので、誤って警告表示がなされる誤動作を回避することができる。
【０１０６】
さらに、本発明の警報表示装置１０では、監視すべきシステムのセンサーからのセンサー情報に応じて、監視すべきシステムに対して、制御信号を送信するリレー制御手段を備えている。以下に、その詳細について説明する。
【０１０７】
図６は、本発明の警報表示装置１０のリレー制御手段の作動を、図１〜図５の実施例の警報表示装置１０について説明するフローチャート、図７は、本発明の警報表示装置１０のリレー制御手段の作動を、図１〜図５の実施例の警報表示装置１０について、冷房設定時の表示動作を説明するグラフである。
【０１０８】
先ず、図６に示したように、ステップＳ１１において、システムが起動される。
【０１０９】
そして、ステップＳ１２において、図示しない監視すべきシステムに設けたセンサーからのセンサー情報に基づいて、現在の温度（温度計測値Ｓ）が計測される。
【０１１０】
次に、ステップＳ１３に進み、ステップＳ１３において、冷房運転か暖房運転かが判断される。
【０１１１】
ステップＳ１３において、冷房運転と判断された場合には、ステップＳ１４に進み、「切」、「入」からなる入切設定表示部２６において、予め設定された冷房時の入設定温度Ｔ３（図７参照）と、現在の温度（温度計測値Ｓ）が比較され、入設定温度Ｔ３＜現在の温度Ｓであるか否かが判断される。
【０１１２】
そして、ステップＳ１４において、入設定温度Ｔ３＜現在の温度Ｓであると判断された場合には、ステップＳ１５に進み、監視すべきシステムである空気調和機に対して、制御信号（ＯＮ信号）が送信され、リレー制御出力ランプ２０が点灯する（図７において、ｔ４の時点参照）。そして、再び、ステップＳ１２に戻り、ステップＳ１３、ステップＳ１４の判断が繰り返される。
【０１１３】
一方、ステップＳ１４において、入設定温度Ｔ３＜現在の温度Ｓでないと判断された場合には、ステップＳ１６に進む。
【０１１４】
ステップＳ１６において、「切」、「入」からなる入切設定表示部２６において、予め設定された冷房時の予め設定された切設定温度Ｔ４（図７参照）と、現在の温度（温度計測値Ｓ）が比較され、切設定温度Ｔ４≧現在の温度Ｓであるか否かが判断される。
【０１１５】
そして、ステップＳ１６において、切設定温度Ｔ４≧現在の温度Ｓであると判断された場合には、ステップＳ１７に進み、監視すべきシステムである空気調和機に対して、制御信号（ＯＦＦ信号）が送信され、リレー制御出力ランプ２０が消灯する（図７において、ｔ５の時点参照）。そして、再び、ステップＳ１２に戻り、ステップＳ１３、ステップＳ１４の判断が繰り返される。
【０１１６】
一方、ステップＳ１６において、切設定温度Ｔ４≧現在の温度Ｓでないと判断された場合には、再び、ステップＳ１２に戻り、ステップＳ１３、ステップＳ１４の判断が繰り返される。
【０１１７】
一方、ステップＳ１３において、暖房運転と判断された場合には、ステップＳ１８に進み、「切」、「入」からなる入切設定表示部２６において、予め設定された暖房時の入設定温度Ｔ５（図示せず）と、現在の温度（温度計測値Ｓ）が比較され、入設定温度Ｔ５≧現在の温度Ｓであるか否かが判断される。
【０１１８】
そして、ステップＳ１８において、入設定温度Ｔ５≧現在の温度Ｓであると判断された場合には、ステップＳ１９に進み、監視すべきシステムである空気調和機に対して、制御信号（ＯＮ信号）が送信され、リレー制御出力ランプ２０が点灯する。そして、再び、ステップＳ１２に戻り、ステップＳ１３、ステップＳ１８の判断が繰り返される。
【０１１９】
一方、ステップＳ１８において、入設定温度Ｔ５≧現在の温度Ｓでないと判断された場合には、ステップＳ２０に進む。
【０１２０】
ステップＳ２０では、「切」、「入」からなる入切設定表示部２６において、予め設定された暖房時の予め設定された切設定温度Ｔ６（図示せず）と、現在の温度（温度計測値Ｓ）が比較され、切設定温度Ｔ６＜現在の温度Ｓであるか否かが判断される。
【０１２１】
そして、ステップＳ２０において、切設定温度Ｔ６＜現在の温度Ｓであると判断された場合には、ステップＳ２１に進み、監視すべきシステムである空気調和機に対して、制御信号（ＯＦＦ信号）が送信され、リレー制御出力ランプ２０が消灯する。
【０１２２】
一方、ステップＳ２０において、切設定温度Ｔ６＜現在の温度Ｓでないと判断された場合には、再び、ステップＳ１２に戻り、ステップＳ１３、ステップＳ１８の判断が繰り返される。
【０１２３】
このように構成することによって、リレー制御手段によって、センサーからのセンサー情報にセンサーからのセンサー情報（温度情報）に応じて、監視すべきシステムに対して、制御信号（例えば、入切信号）を送信するので、監視すべきシステムを制御することができる。
（実施例２）
【０１２４】
図８は、本発明の警報表示装置の別の実施例の図１と同様な正面図であり、高温警報状態を表示している状態を示す本発明の警報表示装置の正面図である。
【０１２５】
この実施例の警報表示装置１０は、図１〜図７に示した実施例１の警報表示装置１０と基本的には同様な構成であり、同一の構成部材には、同一の参照番号を付して、その詳細な説明を省略する。
【０１２６】
この実施例の警報表示装置１０では、画面表示部１２の警報経過時間表示部１２ｃの右側に、警報表示履歴部１２ｄが形成されている。
【０１２７】
この実施例の警報表示装置１０では、図８に示したように、画面表示部１２の警報表示履歴部１２ｄに、センサーからのセンサー情報に異常が生じた回数と異常情報の種別を表示するように構成されている。
【０１２８】
すなわち、この実施例の警報表示装置１０では、図８に示したように、画面表示部１２の警報表示履歴部１２ｄに、「低温：３」と表示され、現在までに低温警告が３回生じたことが表示されているとともに、画面表示部１２の警報表示履歴部１２ｄに、「高温：２」と表示され、高温警告が２回生じたことが表示されている。
【０１２９】
このように構成することによって、センサーからのセンサー情報に異常が生じた回数と異常情報の種別を、画面表示部１２の警報表示履歴部１２ｄに表示するので、異常情報の種別、回数に応じて、例えば、監視すべきシステムの故障修理、メンテナンス、交換などを適切に行うことができる。
【０１３０】
なお、この実施例では、異常情報の種別、回数の両方を表示したが、異常情報の回数のみを表示するようにすることももちろん可能である。
（実施例３）
【０１３１】
図９は、本発明の警報表示装置の別の実施例の図１と同様な正面図であり、監視すべきシステムとして、空気調和機のデジタルヒューミディスタット（デジタル湿度調節器）からなる警報表示装置の正面図を示している。
【０１３２】
この実施例の警報表示装置１０は、図１〜図７に示した実施例１の警報表示装置１０と基本的には同様な構成であり、同一の構成部材には、同一の参照番号を付して、その詳細な説明を省略する。
【０１３３】
この実施例の警報表示装置１０では、図１〜図７に示した実施例１の警報表示装置１０の温度表示の代りに、湿度表示を行うように構成されている。
【０１３４】
すなわち、実施例１の警報表示装置１０の画面表示部１２の温度表示部１２ａの代りに、湿度表示部５２ａが設けられている。すなわち、この実施例の警報表示装置１０では、図９に示したように、湿度表示部５２ａに現在の湿度が７５％ＲＨであることが表示されている。
【０１３５】
さらに、画面表示部１２には、その下方部分に、設定表示部１２ｂが設けられており、画面表示部１２の下方に表示されているように、左側から順に、除湿・加湿切り替え表示部５４、入切設定表示部５６、高湿警報設定表示部５８、低湿警報設定表示部６０が形成されている。
【０１３６】
すなわち、図９に示したように、画面表示部１２の設定表示部１２ｂには、液晶のバー表示が、点灯することによって、左側から順に、除湿状態を表示するための「除湿」、加湿状態を表示するための「加湿」からなる除湿・加湿切り替え表示部５４、「切」、「入」からなる入切設定表示部５６、「湿度」、「遅延」からなる高湿警報設定表示部５８、「湿度」、「遅延」からなる低湿警報設定表示部６０が、選択的に表示されるように構成されている。
【０１３７】
さらに、この実施例の警報表示装置１０では、図８に示した実施例２の警報表示装置１０と同様に、画面表示部１２の警報表示履歴部１２ｄに、センサーからのセンサー情報に異常が生じた回数と異常情報の種別を表示するように構成されている。
【０１３８】
すなわち、この実施例の警報表示装置１０では、図８に示した警報表示装置１０と同様に、画面表示部１２の警報表示履歴部１２ｄに、「低湿：３」と表示され、現在までに低湿警告が３回生じたことが表示されているとともに、画面表示部１２の警報表示履歴部１２ｄに、「高湿：３」と表示され、高湿警告が３回生じたことが表示されている。
【０１３９】
なお、このように構成される本発明の警報表示装置１０の作動については、実施例１の警報表示装置１０において、図４の警報表示装置１０の作動を示すフローチャート、図５の警報表示装置１０の表示動作を説明するグラフと同様な作動であって、「温度」を「湿度」に読み替えれば良いので、その詳細な説明は省略する。
【０１４０】
以下では、このように構成される図９に示した本発明の警報表示装置１０において、監視すべきシステムのセンサーからのセンサー情報に応じて、監視すべきシステムに対して、制御信号を送信するリレー制御手段の詳細について説明する。
【０１４１】
図１０は、本発明の警報表示装置１０のリレー制御手段の作動を、図９の実施例の警報表示装置１０について説明するフローチャート、図１１は、本発明の警報表示装置１０のリレー制御手段の作動を、図９の実施例の警報表示装置１０について、加湿設定時の表示動作を説明するグラフである。
【０１４２】
先ず、図１０に示したように、ステップＳ１０１において、システムが起動される。
【０１４３】
そして、ステップＳ１０２において、図示しない監視すべきシステムに設けたセンサーからのセンサー情報に基づいて、現在の湿度（湿度計測値Ｈ）が計測される。
【０１４４】
次に、ステップＳ１０３に進み、ステップＳ１０３において、除湿運転か加湿運転かが判断される。
【０１４５】
ステップＳ１０３において、除湿運転と判断された場合には、ステップＳ１０４に進み、「切」、「入」からなる入切設定表示部５６において、予め設定された除湿時の入設定湿度Ｈ１（図示せず）と、現在の温度（湿度計測値Ｈ）が比較され、入設定湿度Ｈ１＜現在の湿度Ｈであるか否かが判断される。
【０１４６】
そして、ステップＳ１０４において、入設定湿度Ｈ１＜現在の湿度Ｈであると判断された場合には、ステップＳ１０５に進み、監視すべきシステムである空気調和機に対して、制御信号（ＯＮ信号）が送信され、リレー制御出力ランプ２０が点灯する。そして、再び、ステップＳ１０２に戻り、ステップＳ１０３、ステップＳ１０４の判断が繰り返される。
【０１４７】
一方、ステップＳ１０４において、入設定湿度Ｈ１＜現在の湿度Ｈでないと判断された場合には、ステップＳ１０６に進む。
【０１４８】
ステップＳ１０６において、「切」、「入」からなる入切設定表示部５６において、予め設定された除湿時の予め設定された切設定湿度Ｈ２（図示せず）と、現在の湿度（湿度計測値Ｈ）が比較され、切設定湿度Ｈ２≧現在の湿度Ｈであるか否かが判断される。
【０１４９】
そして、ステップＳ１０６において、切設定湿度Ｈ２≧現在の湿度Ｈであると判断された場合には、ステップＳ１０７に進み、監視すべきシステムである空気調和機に対して、制御信号（ＯＦＦ信号）が送信され、リレー制御出力ランプ２０が消灯する。そして、再び、ステップＳ１０２に戻り、ステップＳ１０３、ステップＳ１０４の判断が繰り返される。
【０１５０】
一方、ステップＳ１０６において、切設定湿度Ｈ２≧現在の湿度Ｈでないと判断された場合には、再び、ステップＳ１０２に戻り、ステップＳ１０３、ステップＳ１０４の判断が繰り返される。
【０１５１】
一方、ステップＳ１０３において、加湿運転と判断された場合には、ステップＳ１０８に進み、「切」、「入」からなる入切設定表示部５６において、予め設定された加湿時の入設定湿度Ｈ３（図１１参照）と、現在の湿度（湿度計測値Ｈ）が比較され、入設定湿度Ｈ３≧現在の湿度Ｈであるか否かが判断される。
【０１５２】
そして、ステップＳ１０８において、入設定湿度Ｈ３≧現在の湿度Ｈであると判断された場合には、ステップＳ１０９に進み、監視すべきシステムである空気調和機に対して、制御信号（ＯＮ信号）が送信され、リレー制御出力ランプ２０が点灯する（図１１において、ｔ６の時点参照）。そして、再び、ステップＳ１０２に戻り、ステップＳ１０３、ステップＳ１０８の判断が繰り返される。
【０１５３】
一方、ステップＳ１０８において、入設定湿度Ｈ３≧現在の湿度Ｈでないと判断された場合には、ステップＳ１１０に進む。
【０１５４】
ステップＳ１１０では、「切」、「入」からなる入切設定表示部５６において、予め設定された加湿時の予め設定された切設定湿度Ｈ４（図１１参照）と、現在の湿度（湿度計測値Ｈ）が比較され、切設定湿度Ｈ４＜現在の湿度Ｈであるか否かが判断される。
【０１５５】
そして、ステップＳ１１０において、切設定湿度Ｈ４＜現在の湿度Ｈであると判断された場合には、ステップＳ１１１に進み、監視すべきシステムである空気調和機に対して、制御信号（ＯＦＦ信号）が送信され、リレー制御出力ランプ２０が消灯する（図１１において、ｔ７の時点参照）。
【０１５６】
一方、ステップＳ１１０において、切設定湿度Ｈ４＜現在の湿度Ｈでないと判断された場合には、再び、ステップＳ１０２に戻り、ステップＳ１０３、ステップＳ１０８の判断が繰り返される。
【０１５７】
このように構成することによって、リレー制御手段によって、センサーからのセンサー情報（湿度情報）に応じて、監視すべきシステムに対して、制御信号（例えば、入切信号）を送信するので、監視すべきシステムを制御することができる。
【０１５８】
以上、本発明の好ましい実施の態様を説明してきたが、本発明はこれに限定されることはなく、本発明の警報表示装置１０では、画面表示部１２は、液晶表示装置から構成し、画面表示部１２の下方に、選択ボタン３２、上移動ボタン（△）３４、下移動ボタン（▽）３６、決定（警報解除）ボタン３８からなる各種の設定条件を設定操作するための設定操作部２２を設けたが、画面表示部１２を、このような表示と設定を行う画面を表示する液晶表示装置からなるタッチパネル式表示装置から構成することも可能である。
【０１５９】
また、本発明の警報表示装置１０の上記の実施例では、センサー情報が、温度、湿度の場合について説明したが、これ以外にも、センサー情報を、圧力、流量などとすることも可能であり、また、これらを組み合わせることも可能である。
【０１６０】
さらに、本発明の警報表示装置１０の上記の実施例では、監視すべきシステムとして、空気調和機について説明したが、監視すべきシステムとして、例えば、エアコン、冷凍庫、冷蔵庫、園芸用のビニールハウス、ショーケースなどの空気調和機、その他の機械装置、プラントなどに適用することも可能であるなど本発明の目的を逸脱しない範囲で種々の変更が可能である。
【産業上の利用可能性】
【０１６１】
本発明は、監視すべきシステム、例えば、エアコン、冷凍庫、冷蔵庫、園芸用のビニールハウス、ショーケースなどの空気調和機（以下、単に「空気調和機」と言う）、その他の機械装置、プラントなどに設けたセンサーからのセンサー情報に異常が生じた場合に、警報表示するための警報表示装置に適用することができる。
【符号の説明】
【０１６２】
１０    警報表示装置
１２    画面表示部
１２ａ    温度表示部
１２ｂ    設定表示部
１２ｃ    警報経過時間表示部
１２ｄ    警報表示履歴部
１４    警報出力ランプ
２０    リレー制御出力ランプ
２２    設定操作部
２４    冷暖房切り替え表示部
２６    入切設定表示部
２８    高温警報設定表示部
３０    低温警報設定表示部
３２    選択ボタン
３８    決定（警報解除）ボタン
５２ａ    湿度表示部
５４    除湿・加湿切り替え表示部
５６    入切設定表示部
５８    高湿警報設定表示部
６０    低湿警報設定表示部
１００    警報表示装置
１０２    画面表示部
１０４    警報出力ランプ
１０６    冷房表示ランプ
１０８    暖房表示ランプ
１１０    リレー制御出力ランプ
１１２    設定操作部
１１４    冷暖房切り替え表示部
１１４ａ    切り替えランプ
１１６    入切設定表示部
１１６ａ    切表示ランプ
１１６ｂ    入表示ランプ
１１８    高温警報設定表示部
１１８ａ    温度ランプ
１１８ｂ    遅延時間ランプ
１２０    低温警報設定表示部
１２０ａ    温度ランプ
１２０ｂ    遅延時間ランプ
１２２    選択ボタン
１２４    上移動ボタン
１２６    下移動ボタン
１２８    決定（警報解除）ボタン
Ｔ１    高温警報値
Ｔ２    低温警報値
Ｔ３    入設定温度
Ｔ４    切設定温度
Ｔ５    入設定温度
Ｔ６    切設定温度
Ｈ１    入設定湿度
Ｈ２    切設定湿度
Ｈ３    入設定湿度
Ｈ４    切設定温度
【図１】
2015183978.tif 000003
【図２】
2015183978.tif 000004
【図３】
2015183978.tif 000005
【図４】
2015183978.tif 000006
【図５】
2015183978.tif 000007
【図６】
2015183978.tif 000008
【図７】
2015183978.tif 000009
【図８】
2015183978.tif 000010
【図９】
2015183978.tif 000011
【図１０】
2015183978.tif 000012
【図１１】
2015183978.tif 000013
【図１２】
2015183978.tif 000014